(57)【要約】【課題】  構成部品点数及び構成部品の重量が少なく、製造コストの低減を図ることができるコネクタを提供する。【解決手段】  雌雄のコネクタ１０、２０からなるコネクタ１であって、雌コネクタに１０挟持工具４０の第１の作業面４１が当接し雌コネクタ１０の嵌合方向に力を受ける一方の雌側押圧操作面１２が設けられ、雄コネクタ２０に挟持工具４０の第２の作業面４２が当接し挟持工具４０の第１の作業面側４１に力を受ける雄側押圧操作面２４が設けられて、挟持工具４０の第１の作業面４１と第２の作業面４２同士を接近させることで雌雄のコネクタ１０、２０が嵌合する。【選択図】      図１
2011150935.tif 000002
【特許請求の範囲】
【請求項１】
雌雄のコネクタからなるコネクタであって、
前記雌雄のコネクタのうちの一方のコネクタに挟持工具の第１の作業面が当接し前記雌雄コネクタの嵌合方向に力を受ける一方の押圧操作面が設けられ、他方のコネクタに前記挟持工具の第２の作業面が当接し前記挟持工具の前記第１の作業面側に力を受ける他方の押圧操作面が設けられて、前記挟持工具の第１の作業面と第２の作業面同士を接近させることで前記雌雄のコネクタが嵌合することを特徴とするコネクタ。
【請求項２】
前記雌雄のコネクタの一方にはボス部が突設され、他方には該ボスが挿入されて前記挟持工具による嵌合作業時に正規嵌合方向に一方のコネクタを案内する案内溝部が形成されていることを特徴とする請求項１に記載のコネクタ。
【請求項３】
前記雌雄のコネクタの一方には、他方のコネクタに仮係止する雌仮係止部が設けられ、他方にはこの雌仮係止部と係合して雌雄のコネクタを仮係止状態とする雄仮係止部が設けられていることを特徴とする請求項１又は請求項２に記載のコネクタ。
【請求項４】
前記一方の押圧操作面及び前記他方の押圧操作面の少なくとも一方には、表面に滑り防止加工面が形成されていることを特徴とする請求項１から請求項３のいずれかに記載のコネクタ。
【発明の詳細な説明】
【技術分野】
【０００１】
本発明は、狭持工具を用いてコネクタを嵌合するコネクタに関する。
【背景技術】
【０００２】
従来から、雄ハウジングと雌ハウジングを嵌合させるために、例えば、特開２００２−３５９０２８号公報（特許文献１）に記載されたレバー式コネクタが提案されている。このレバー式コネクタは、レバーが一側を支点として回動することによるてこの作用を利用して雌雄のハウジングを嵌合させることにより、嵌合作業の確実性等を図ることができるものである。
【０００３】
図８から図１１に示すように、レバー式コネクタ１００は、雄ハウジング１１３と、この雄ハウジング１１３に長手方向の一側と他側との間が接続されて回動自在なレバー１１５と、このレバー１１５を雄ハウジング１１３に接続するための接続部１１７と、雄ハウジング１１３が収容、嵌合される雌ハウジング１１９とを備えている。
【０００４】
このようなレバー式コネクタ１００では、上述した接続部１１７は、突起部１３３、１３３と係合穴１２３、１２３とがそれぞれ係合し、雄ハウジング１１３にレバー１１５の一側と他側との間を接続し、突起部１３３、１３３を軸にレバー１１５を回動させるようになっている。
【０００５】
そして、雄ハウジング１１３と雌ハウジング１１９とを嵌合させるとき、レバー１１５の係合突起１２５、１２５を雌ハウジング１１９の係合溝１３１、１３１の係合段部１２９、１２９に係合させて支点とし、レバー１１５の操作部１２０を雄ハウジング１１３と雌ハウジング１１９との嵌合方向の前端側である下方に押圧して回動させる。
【０００６】
このとき、雄ハウジング１１３は、回動したレバー１１５のてこの作用と、操作部１２０を押圧する押圧力により雄ハウジング１１３に設けられた突起部１３３、１３３に力がかかって直接押圧されることとにより全体として下方に移動する。この結果、雄ハウジング１１３は、雌ハウジング１１９のフード部１２７内に嵌合される。
【先行技術文献】
【特許文献】
【０００７】
【特許文献１】特開２００２−３５９０２８号公報
【発明の概要】
【発明が解決しようとする課題】
【０００８】
しかしながら、上述した従来のレバー式コネクタ１００では、レバー１１５を雌ハウジング１１９に係合させて支点とし、レバー１１５を下方に押圧して回動させることによって雌雄のハウジング１１３、１１９を嵌合させるため、レバー１１５を係止する等の構成部品が多く、構成部品を管理する工程が増え製造コストが高くなるという問題があった。
【０００９】
また、従来のレバー式コネクタ１００では、レバー１１５を回動することによって雌雄のハウジング１１３、１１９を嵌合させるため、一度、雌雄のハウジング１１３、１１９を嵌合してしまうと、レバー１１５は、なんら使用されることなくレバー式コネクタ１００に装着されたままとなり、構成部品の重量が重くなるという問題があった。
【００１０】
そこで、本発明はこのような従来の課題を解決するためになされたものであり、その目的とするところは、構成部品点数及び構成部品の重量が少なく、製造コストの低減を図ることができるコネクタを提供することにある。
【課題を解決するための手段】
【００１１】
上記目的を達成するため、本願請求項１に記載の発明は、雌雄のコネクタからなるコネクタであって、前記雌雄のコネクタのうちの一方のコネクタに挟持工具の第１の作業面が当接し前記雌雄コネクタの嵌合方向に力を受ける一方の押圧操作面が設けられ、他方のコネクタに前記挟持工具の第２の作業面が当接し前記挟持工具の前記第１の作業面側に力を受ける他方の押圧操作面が設けられて、前記挟持工具の第１の作業面と第２の作業面同士を接近させることで前記雌雄のコネクタが嵌合することを特徴とする。
【００１２】
請求項２に記載の発明は、前記雌雄のコネクタの一方にはボス部が突設され、他方には該ボスが挿入されて前記挟持工具による嵌合作業時に正規嵌合方向に一方のコネクタを案内する案内溝部が形成されていることを特徴とする。
【００１３】
請求項３に記載の発明は、前記雌雄のコネクタの一方には、他方のコネクタに仮係止する雌係止部が設けられ、他方にはこの雌仮係止部と係合して雌雄のコネクタを仮係止状態とする雄仮係止部が設けられていることを特徴とする。
【００１４】
請求項４に記載の発明は、前記一方の押圧操作面及び前記他方の押圧操作面の少なくとも一方には、表面に滑り防止加工面が形成されていることを特徴とする。
【発明の効果】
【００１５】
請求項１に記載の発明によれば、雌雄のコネクタのうちの一方のコネクタに挟持工具の第１の作業面を当接し雌雄コネクタの嵌合方向に力を受ける一方の押圧操作面が設けられ、他方のコネクタに挟持工具の第２の作業面を当接し挟持工具の第１の作業面側に力を受ける他方の押圧操作面が設けられて、挟持工具の第１の作業面と第２の作業面同士を接近させることで雌雄のコネクタが嵌合する。そのため、雌雄のコネクタを嵌合させた後は挟持工具が雌雄のコネクタから外れるのでコネクタの構成部品の重量を軽くすることができる。
【００１６】
また、雌雄のコネクタを嵌合させた後、挟持工具を外すので、嵌合後に挟持工具を係止するための構成部品を削除することができる。
【００１７】
従って、従来の雌雄のコネクタを嵌合させた後、レバーを装着したままのレバー式コネクタと比較して、構成部品点数及び構成部品の重量が少なく、製造コストの低減を図ることができるコネクタを提供することが可能となる。
【００１８】
請求項２に記載の発明によれば、雌雄のコネクタの一方にはボス部が突設され、他方にはボスが挿入されて挟持工具による嵌合作業時に正規嵌合方向に一方のコネクタを案内する案内溝部が形成されている。そのため、雌雄のコネクタが傾くことなく正規嵌合方向に沿って案内することにより、嵌合作業性を向上することができる。
【００１９】
請求項３に記載の発明によれば、雌雄のコネクタの一方には、他方のコネクタに仮係止する雌係止部が設けられ、他方にはこの雌仮係止部と係合して雌雄のコネクタを仮係止状態とする雄仮係止部が設けられている。このため、雌雄のコネクタを仮の係止位置に保持することにより、狭持工具を装着し易くすることができる。
【００２０】
請求項４に記載の発明によれば、一方の押圧操作面及び他方の押圧操作面の少なくとも一方には、表面に滑り防止加工面が形成されている。このため、押圧操作面に狭持工具の第１の作業面及び第２の作業面を当接し易くし、雌雄のコネクタを押圧する際の雌雄のコネクタの強度を向上することができる。
【図面の簡単な説明】
【００２１】
【図１】本発明の実施形態に係る狭持工具及びコネクタの斜視図である。
【図２】本発明の実施形態に係る雌雄コネクタの側面図である。
【図３】本発明の実施形態に係る雌雄コネクタのＡ−Ａ断面図である。
【図４】本発明の実施形態に係る雌雄コネクタの仮係止状態を示す図である。
【図５】本発明の実施形態に係る仮係止状態の雌雄コネクタに狭持工具を装着した図である。
【図６】本発明の実施形態に係る雌雄コネクタを嵌合した図である。
【図７】本発明の実施形態に係る狭持工具を取り外した図である。
【図８】従来におけるレバー式コネクタの斜視図である。
【図９】従来におけるレバー式コネクタの側面図である。
【図１０】従来におけるレバー式コネクタの側面図である。
【図１１】従来におけるレバー式コネクタの雄ハウジングを雌ハウジングに嵌合するときの断面図である。
【発明を実施するための形態】
【００２２】
以下、本発明の実施形態について図面を参照して説明する。図１は、本発明の実施形態に係る狭持工具及びコネクタの斜視図である。図２は、本発明の実施形態に係る雌雄コネクタの側面図である。図３は、本発明の実施形態に係る雌雄コネクタのＡ−Ａ断面図である。図４は、本発明の実施形態に係る雌雄コネクタの仮係止状態を示す図である。図５は、本発明の実施形態に係る仮係止状態の雌雄コネクタに狭持工具を装着した図である。図６は、本発明の実施形態に係る雌雄コネクタを嵌合した図である。図７は、本発明の実施形態に係る狭持工具を取り外した図である。
【００２３】
はじめに、図１から図３を参照して、本発明のコネクタの構成について説明する。
【００２４】
図１に示すように、本発明の実施形態に係るコネクタ１は、内部に端子を収容する端子収容室（図示せず）を有する雌コネクタ１０と、雌コネクタ１０が挿入及び嵌合される雄コネクタ２０から略構成されている。そして、後述する狭持工具４０を握り込むことにより雌雄コネクタ１０、２０を嵌合する。
【００２５】
雌コネクタ１０は、外側に突設されたボス部１１と、雄コネクタ２０に挿入した際、雄コネクタ２０に仮係止する雌仮係止部１２と、雌雄コネクタ１０、２０の嵌合方向に力を受け、表面に滑り止め加工面が形成された雌側押圧操作面１３と、後述する嵌合部２３と嵌合するための嵌合凹部１４を有するコネクタ本体１５から構成されている。
【００２６】
雄コネクタ２０は、端子が収容される端子収容室２１と、雌コネクタ１０が挿入されて嵌合する嵌合フード部２２と、嵌合凹部１４と嵌合するための凸部を有する嵌合部２３とを有するコネクタハウジング２８から構成されている。
【００２７】
また、コネクタハウジング２８には、雌雄コネクタ１０、２０を嵌合する際に雌側押圧操作面１３側に力を受け、表面に滑り止め加工面が形成された雄側押圧操作面２４と、雄コネクタ２０の内部にク字状に形成され、雌仮係止部１２と当接して雌雄コネクタを仮係止する雄仮係止部２５（図３参照）が設けられている。
【００２８】
さらに、コネクタハウジング２８には、挿入する雌コネクタ１０の位置を規制するため、ボス部１１を収容して正規嵌合方向に雌コネクタ１０を案内する案内する案内溝部２６と、後述する狭持工具４０が差し込まれる工具装着部２７が設けられている。
【００２９】
また、雌側押圧操作面１３と雄側押圧操作面２４を形成するためには、雌雄コネクタ１０、２０に狭持工具４０が入る工具装着部２７が必要になる。そのため、本発明の実施形態では、雌雄コネクタ１０、２０を嵌合することを考慮して、雌側押圧操作面１３と雄側押圧操作面２４を雌雄コネクタ１０、２０の略中央に形成している。このように、略中央に雌側押圧操作面１３と雄側押圧操作面２４を設けることで、嵌合する際に雌雄コネクタ１０、２０へ加わる力が嵌合面に対し均等に加わるようになっている。
【００３０】
図１に示すように、狭持工具４０は、所謂ペンチであって、雌雄コネクタ１０、２０を嵌合する際に雌コネクタ１０に当接する第１の作業面４１と、雄コネクタ２０に当接する第２の作業面４２を有する作業部４３と、握り込むことにより第１の作業面４１と第２の作業面４２を接近させる一対のグリップ部４４から構成されている。
【００３１】
次に、図１から図３を参照して、本発明の実施形態に係る雌雄コネクタ１０、２０の仮係止状態について説明する。雄コネクタ２０に雌コネクタ１０を挿入すると、図１に示すように、雌コネクタ１０のボス部１１が雄コネクタ２０の案内溝部２６に収容され、仮係止位置まで規制する。これにより、雌コネクタ１０が傾くことなく正規嵌合方向である仮係止位置まで移動する。このように、本発明の実施形態では、雌コネクタ１０を雄コネクタ２０に固定することにより、嵌合作業性を向上している。
【００３２】
図２及び図３に示すように、雌雄コネクタ１０、２０を仮係止位置まで移動すると、雌仮係止部１２の下部の突起が雄仮係止部２５を乗り越え、雌仮係部１２と雄仮係止部２５が当接することにより、雌雄コネクタ１０、２０を仮の係止位置に保持する。雌雄コネクタ１０、２０を仮の係止位置に保持することにより、狭持工具４０を装着し易くする。
【００３３】
次に、図４から図７を参照して、本発明の実施形態に係る雌雄コネクタ１０、２０の嵌合作業について説明する。
【００３４】
図４に示すように、雌雄コネクタ１０、２０を仮の係止位置に保持した後、図５に示すように、一対のグリップ４３を離すことにより、狭持工具４０の第１の作業面４１を雌コネクタ１０の雌側押圧操作面１３に当接し、狭持工具４０の第２の作業面４２を雄コネクタ２０の雄側押圧操作面２４に当接することにより、狭持工具４０を雌雄コネクタ１０、２０に装着する。雌側押圧操作面１３と雄側押圧操作面２４には、表面に滑り止め加工面が形成されているため、狭持工具４０を雌側押圧操作面１３及び雄側押圧操作面２４に当接し易くし、雌雄コネクタ１０、２０を嵌合する際の雌雄コネクタ１０、２０の強度を向上することができる。
【００３５】
また、本発明の実施形態では、狭持工具４０の一対のグリップ４３を離すことにより、第１の作業面４１及び第２の作業面４２を離し、第２の作業面４２を雄コネクタ２０の下部から装着するため、雄コネクタ２０には工具装着部２７が形成されている。この工具装着部２７は、雄コネクタ２０の内部に突出しており、雌コネクタ１０は、雄コネクタ２０の上部に形成した嵌合部２３と嵌合するため、内部に突出した嵌合凹部１４が形成されている。そして、雄コネクタ２０の嵌合部２３と雌コネクタ１０の嵌合凹部１４が嵌合する。第２の作業面４２を工具装着部２７の下部から挿入することで、雌雄コネクタ１０、２０に狭持工具４０を装着し易くしている。
【００３６】
次に、図５に示すように、一対のグリップ部４４を握り込むことにより、第１の作業面４１と第２の作業面４２が接近する。第１の作業面４１と第２の作業面４２が近接することにより、雌コネクタ１０の上面と雄コネクタ２０の上面が略同一の位置となり、図６に示すように、雌雄コネクタ１０、２０が嵌合される。
【００３７】
雌雄コネクタ１０、２０が嵌合された後、図７に示すように、一対のグリップ部４４を離すことにより、第１の作業面４１及び第２の作業面４２を離し、雌コネクタ１０の雌側押圧操作面１３及び雄コネクタ２０の雄側押圧操作面２４から第１の作業面４１及び第２の作業面４２を雄コネクタ２０の雄側押圧操作面２４から離すことにより、雌雄コネクタ１０、２０から狭持工具４０を外す。
【００３８】
このように、本発明の実施形態に係るコネクタ１は、雌コネクタ１０に挟持工具４０の第１の作業面４１を当接し雌雄コネクタ１０、２０の嵌合方向に力を受ける雌側押圧操作面１３が設けられ、雄コネクタ２０に挟持工具４０の第２の作業面４２を当接し挟持工具４０の第１の作業面４１側に力を受ける雄側押圧操作面２４が設けられて、挟持工具４０の第１の作業面４１と第２の作業面４２同士を接近させることで雌雄コネクタ１０、２０が嵌合する。そのため、雌雄コネクタ１０、２０を嵌合させた後は挟持工具４０が雌雄コネクタ１０から外れるのでコネクタ１の構成部品の重量を軽くすることができる。
【００３９】
また、雌雄コネクタ１０、２０を嵌合させた後、挟持工具４０を外すため、嵌合後に挟持工具４０を係止するための構成部品を削除することができる。
【００４０】
従って、従来の雌雄のコネクタを嵌合させた後、レバーを装着したままのレバー式コネクタと比較して、構成部品点数及び構成部品の重量が少なく、製造コストの低減を図ることができるコネクタ１を提供することが可能となる。
【００４１】
また、本発明の実施形態に係るコネクタ１は、雌コネクタ１０の一方にはボス部１１が突設され、雄コネクタ２０にはボス部１１が挿入されて挟持工具４０による嵌合作業時に正規嵌合方向に一方のコネクタ１を案内する案内溝部２６が形成されている。そのため、雌雄コネクタ１０、２０が傾くことなく正規嵌合方向に沿って案内することにより、嵌合作業性を向上することができる。
【００４２】
さらに、本発明の実施形態に係るコネクタ１は、雌コネクタ１０には、雄コネクタ２０に仮係止する雌係止部１２が設けられ、雄コネクタ２０にはこの雌仮係止部１２と係合して雌雄コネクタ１０、２０を仮係止状態とする雄仮係止部２５が設けられている。このため、雌雄コネクタ１０、２０を仮の係止位置に保持することにより、狭持工具４０を装着し易くすることができる。
【００４３】
また、本発明の実施形態に係るコネクタ１は、雌側押圧操作面１３及び雄側押圧操作面２４の少なくとも一方には、表面に滑り防止加工面が形成されている。このため、雌側押圧操作面１３及び雄側押圧操作面に狭持工具４０の第１の作業面４１及び第２の作業面４２を当接し易くし、雌雄コネクタ１０、２０を押圧する際の雌雄コネクタ１０、２０の強度を向上することができる。
【００４４】
以上、本発明のコネクタを図示の実施形態に基づいて説明したが、本発明はこれに限定されるものではなく、各部の構成は、同様の機能を有する任意の構成のものに置き換えることができる。
【００４５】
また、狭持工具４０は、本発明の実施形態以外のものでも良く、市販されているペンチであれば良い。
【産業上の利用可能性】
【００４６】
本発明は、コネクタを嵌合する際に、構成部品点数及び構成部品の重量が少なくし、製造コストの低減を図る上で極めて有用である。
【符号の説明】
【００４７】
１      コネクタ
１０    雌コネクタ
１１    ボス部
１２    雌仮係止部
１３    雌側押圧操作面
１４    嵌合凹部
１５    コネクタ本体
２０    雌コネクタ
２１    端子収容室
２２    嵌合フード部
２３    嵌合部
２４    雄側押圧操作面
２５    雄仮係止部
２６    案内溝部
２７    後部装着部
２８    コネクタハウジング
４０    狭持工具
４１    第１の作業部
４２    第２の作業部
４３    作業部
４４    グリップ
【図１】
2011150935.tif 000003
【図２】
2011150935.tif 000004
【図３】
2011150935.tif 000005
【図４】
2011150935.tif 000006
【図５】
2011150935.tif 000007
【図６】
2011150935.tif 000008
【図７】
2011150935.tif 000009
【図８】
2011150935.tif 000010
【図９】
2011150935.tif 000011
【図１０】
2011150935.tif 000012
【図１１】
2011150935.tif 000013